(57)【特許請求の範囲】
【請求項１】
アドバンスト無線通信システムにおいて使用される制御シグナリング方法であって、前記無線通信システムは、
エボルブドノードＢ（ｅＮＢ：Evolved NodeB）と、
少なくとも１つのアドバンストユーザ装置（ＵＥ：user equipment）と、を含み、
前記無線通信システムは、単一のアップリング（ＵＬ）ＣＣのみを有し、最大３２個のダウンリンク（ＤＬ）コンポーネントキャリア（ＣＣ又はセル）によるキャリアアグリゲーションを可能とし、前記ｅＮＢとＵＥとの間の制御シグナリングは、以下のＣＡモードにより動作可能であって、当該ＣＡモードは、
前記制御シグナリング方法が、全てのＣＣがセルフスケジューリングＣＣとして設定されるように、前記ｅＮＢと前記ＵＥとの間の制御シグナリングを実行することを含む、セルフスケジューリングモード、
前記制御シグナリング方法が、１もしくは複数のＤＬ  ＣＣが、スケジューリングされるＣＣとする残りのＣＣ上のＵＥにおけるＤＬデータ受信のためのスケジューリング情報を提供するスケジューリングＣＣとして設定されるように、前記ｅＮＢと前記ＵＥとの間の制御シグナリングを実行することを含む、クロスキャリアスケジューリングモード、および
前記制御シグナリング方法が、前記ＵＥがＤＬ  ＣＣの１もしくは複数のグループにおいて前記クロスキャリアスケジューリングモードにより動作し、残りのＤＬ  ＣＣにおいて前記セルフスケジューリングモードにより動作するように、前記ｅＮＢと前記ＵＥとの間の制御シグナリングを実行することを含む、ハイブリッドＣＡモード、
であり、
前記ｅＮＢと前記ＵＥとの間の制御シグナリングを実行することは、アドバンストサービシングセル（servicing-cell）またはＣＣを識別するための５ビットの無線リソース制御（ＲＲＣ：Radio Resource Control）パラメータを送信することを含み、
前記５ビットのＲＲＣパラメータは、４つのアドバンストサービシングセルインデックスグループ（servicing-cell-index group）に分割され、サービシングセルインデックスグループ（servicing-cell-index group）の各々は、最大８個のＣＣを有し、レガシーサービスセルインデックス（service-cell-index）として識別され、
セルフスケジューリングモードにおいて、前記シグナリング方法は、ＲＲＣ接続を介して、前記ｅＮＢによりＵＥに、
クロスキャリアスケジューリングを無効にし、
サービングセルインデックスグループ、セルフスケジューリングセルおよびサービングセルインデックスを設定し、
４以上のＰＵＣＣＨリソースインデックスのセットを設定し、
設定されるセルフスケジューリングセル上にＵＳＳを設定する、
ＣＡ設定メッセージを送信することをさらに含む、シグナリング方法。
【請求項２】
アドバンスト無線通信システムにおいて使用される制御シグナリング方法であって、前記無線通信システムは、
エボルブドノードＢ（ｅＮＢ：Evolved NodeB）と、
少なくとも１つのアドバンストユーザ装置（ＵＥ：user equipment）と、を含み、
前記無線通信システムは、単一のアップリング（ＵＬ）ＣＣのみを有し、最大３２個のダウンリンク（ＤＬ）コンポーネントキャリア（ＣＣ又はセル）によるキャリアアグリゲーションを可能とし、前記ｅＮＢとＵＥとの間の制御シグナリングは、以下のＣＡモードにより動作可能であって、当該ＣＡモードは、
前記制御シグナリング方法が、全てのＣＣがセルフスケジューリングＣＣとして設定されるように、前記ｅＮＢと前記ＵＥとの間の制御シグナリングを実行することを含む、セルフスケジューリングモード、
前記制御シグナリング方法が、１もしくは複数のＤＬ  ＣＣが、スケジューリングされるＣＣとする残りのＣＣ上のＵＥにおけるＤＬデータ受信のためのスケジューリング情報を提供するスケジューリングＣＣとして設定されるように、前記ｅＮＢと前記ＵＥとの間の制御シグナリングを実行することを含む、クロスキャリアスケジューリングモード、および
前記制御シグナリング方法が、前記ＵＥがＤＬ  ＣＣの１もしくは複数のグループにおいて前記クロスキャリアスケジューリングモードにより動作し、残りのＤＬ  ＣＣにおいて前記セルフスケジューリングモードにより動作するように、前記ｅＮＢと前記ＵＥとの間の制御シグナリングを実行することを含む、ハイブリッドＣＡモード、
であり、
前記ｅＮＢと前記ＵＥとの間の制御シグナリングを実行することは、アドバンストサービシングセル（servicing-cell）またはＣＣを識別するための５ビットの無線リソース制御（ＲＲＣ：Radio Resource Control）パラメータを送信することを含み、
前記５ビットのＲＲＣパラメータは、４つのアドバンストサービシングセルインデックスグループ（servicing-cell-index group）に分割され、サービシングセルインデックスグループ（servicing-cell-index group）の各々は、最大８個のＣＣを有し、レガシーサービスセルインデックス（service-cell-index）として識別され、
クロスキャリアスケジューリングモードにおいて、前記シグナリング方法は、ＲＲＣ接続を介して、前記ｅＮＢによりＵＥに、
クロスキャリアスケジューリングを有効にし、
サービングセルインデックスグループ、スケジューリングセルおよび関連するスケジューリングされるセルを設定し、
４以上のＰＵＣＣＨリソースインデックスのセットを設定し、
クロススケジューリンググループ内のＤＬ  ＣＣのためのＵＳＳが他のクロススケジューリングされるグループのＤＬ  ＣＣのためのＵＳＳと重複してはならないとする制約の下で、前記設定されるスケジューリングセル上にＵＳＳを設定する、
ＣＡ設定メッセージを送信することを含む、シグナリング方法。
【請求項３】
アドバンスト無線通信システムにおいて使用される制御シグナリング方法であって、前記無線通信システムは、
エボルブドノードＢ（ｅＮＢ：Evolved NodeB）と、
少なくとも１つのアドバンストユーザ装置（ＵＥ：user equipment）と、を含み、
前記無線通信システムは、単一のアップリング（ＵＬ）ＣＣのみを有し、最大３２個のダウンリンク（ＤＬ）コンポーネントキャリア（ＣＣ又はセル）によるキャリアアグリゲーションを可能とし、前記ｅＮＢとＵＥとの間の制御シグナリングは、以下のＣＡモードにより動作可能であって、当該ＣＡモードは、
前記制御シグナリング方法が、全てのＣＣがセルフスケジューリングＣＣとして設定されるように、前記ｅＮＢと前記ＵＥとの間の制御シグナリングを実行することを含む、セルフスケジューリングモード、
前記制御シグナリング方法が、１もしくは複数のＤＬ  ＣＣが、スケジューリングされるＣＣとする残りのＣＣ上のＵＥにおけるＤＬデータ受信のためのスケジューリング情報を提供するスケジューリングＣＣとして設定されるように、前記ｅＮＢと前記ＵＥとの間の制御シグナリングを実行することを含む、クロスキャリアスケジューリングモード、および
前記制御シグナリング方法が、前記ＵＥがＤＬ  ＣＣの１もしくは複数のグループにおいて前記クロスキャリアスケジューリングモードにより動作し、残りのＤＬ  ＣＣにおいて前記セルフスケジューリングモードにより動作するように、前記ｅＮＢと前記ＵＥとの間の制御シグナリングを実行することを含む、ハイブリッドＣＡモード、
であり、
前記ｅＮＢと前記ＵＥとの間の制御シグナリングを実行することは、アドバンストサービシングセル（servicing-cell）またはＣＣを識別するための５ビットの無線リソース制御（ＲＲＣ：Radio Resource Control）パラメータを送信することを含み、
前記５ビットのＲＲＣパラメータは、４つのアドバンストサービシングセルインデックスグループ（servicing-cell-index group）に分割され、サービシングセルインデックスグループ（servicing-cell-index group）の各々は、最大８個のＣＣを有し、レガシーサービスセルインデックス（service-cell-index）として識別され、
前記ハイブリッドＣＡモードにおいて、前記シグナリング方法は、ＲＲＣ接続を介して、前記ｅＮＢによりＵＥに、
クロスキャリアスケジューリングおよびセルフスケジューリングを有効にし、
サービングセルインデックスグループとスケジューリングセルと関連するスケジューリングされるセルとセルフスケジューリングセルとを設定し、
４以上のＰＵＣＣＨリソースインデックスのセットを設定し、
クロススケジューリンググループ内のＤＬ  ＣＣのためのＵＳＳが他のクロススケジューリングされるグループのＤＬ  ＣＣのためのＵＳＳと重複してはならないとする制約の下で前記設定されるスケジューリングセル上にＵＳＳを設定し、
前記設定されるセルフスケジューリングセル上にＵＳＳを設定する、
ＣＡ設定メッセージを送信することをさらに含む、シグナリング方法。
【請求項４】
前記５ビットのＲＲＣパラメータにおいて、前記５ビット列の２つの最上位ビットまたは２つの最下位ビットのいずれかが、グループインデックスを識別するために使用され、残り３ビットがグループ内のレガシーサービングセルインデックスを識別するために使用される、請求項１〜３のいずれか１項に記載のシグナリング方法。
【請求項５】
サービシングセルインデックスグループ（servicing-cell-index group）の全てのＣＣがセルフスケジューリングＣＣとして設定される場合、当該サービシングセルインデックスグループ（servicing-cell-index group）はセルフスケジューリンググループであり、各セルフスケジューリングＣＣは、スケジューリングされる物理ダウンリンク共用チャネル（ＰＤＳＣＨ：Physical Downlink Shared Channel）送信の前記ＣＣのデータ領域における受信のためのスケジューリング情報を提供する、前記ＣＣの制御領域内のＵＥ固有サーチスペース（ＵＳＳ：UE Specific Search Space）を含む、請求項１〜４のいずれか１項に記載のシグナリング方法。
【請求項６】
サービシングセルインデックスグループ（servicing-cell-index group）の最大で１つのＣＣが、当該グループの前記ＤＬ  ＣＣ自体および他のＤＬ  ＣＣにおいてスケジューリングされるＰＤＳＣＨの受信のためのスケジューリング情報を提供するクロスキャリアスケジューリングＣＣとして設定される場合、前記サービシングセルインデックスグループ（servicing-cell-index group）はクロススケジューリンググループである、請求項１〜５のいずれか１項に記載のシグナリング方法。
【請求項７】
１つの前記クロスキャリアスケジューリングＣＣは、他のグループのＤＬ  ＣＣにおいてスケジューリングされるＰＤＳＣＨの受信のためのスケジューリング情報を提供する、請求項６に記載のシグナリング方法。
【請求項８】
サービシングセルインデックスグループ（servicing-cell-index group）がスケジューリングＣＣを有さず、当該グループの１もしくは複数のＣＣが他のグループのスケジューリングＣＣによってクロススケジューリングされる場合、前記サービシングセルインデックスグループ（servicing-cell-index group）は、クロススケジューリングされるグループである、請求項１〜７のいずれか１項に記載のシグナリング方法。
【発明の詳細な説明】
【技術分野】
【０００１】
本発明は、一般的にアドバンスト無線通信ネットワーク（advanced wireless communication networks）における制御シグナリングに関する。具体的には、本発明は、ダウンリンクデータに関するＵＥフィードバックは単一のアップリンクコンポーネントキャリア上で送信されるが、最大３２個の同時ダウンリンクコンポーネントキャリア上でダウンリンクデータ送信を行うための、セルフスケジューリングキャリアアグリゲーション（self-scheduling carrier aggregation）、クロスキャリアスケジューリングキャリアアグリゲーション（cross-carrier scheduling carrier aggregation）およびハイブリッドスケジューリングキャリアアグリゲーション（hybrid-scheduling carrier aggregation）を実現する（または少なくとも支援する（assist in））ための制御シグナリングおよび動作手順を強化することに関連する。
【背景技術】
【０００２】
以下の略語は本明細書において使用される。
【表１】
0006443566.tif 000002
【０００３】
第３世代パートナーシッププロジェクト（３ＧＰＰ：3rd Generation Partnership Project）ロングタームエボリューション（ＬＴＥ：Long Term Evolution）無線システムは、低コストで、より高いデータレートおよび低遅延により、サービスの強化を目指している。ＬＴＥ無線システムの最初のリリース（すなわち、ＬＴＥリリース８）は、アップリンク（リバースリンク）およびダウンリンク（フォワードリンク）において、最大２０ＭＨｚの柔軟な帯域幅をサポートする。２０ＭＨｚより大きく、１００ＭＨｚまでの帯域幅をサポートする後のリリース１０は、ＩＴＵ  ＩＭＴ−Ａｄｖａｎｃｅｄの要件を満たすために、キャリアアグリゲーション（ＣＡ：carrier aggregation）の概念を利用して標準化された。ＩＭＴ−Ａｄｖａｎｃｅｄは、”International Mobile Telecommunications-Advanced”の略で、４Ｇ携帯電話およびインターネットアクセスサービスとして市場に出すために国際電気通信連合（ＩＴＵ：International Telecommunication Union）により発行された要件である。
【０００４】
ＣＡに関して、図１に示すように、２０ＭＨｚよりも大きく、最大１００ＭＨｚの合計帯域幅を達成するために、リリース１０以降のＵＥは、最大５つのコンポーネントキャリア（ＣＣ）を統合する（aggregate）ことを可能とする。下位互換性（バックワードコンパチビリティ：Backward compatibility）は、レガシーＵＥが各ＣＣを別個のリリース８キャリアとして観測するように、リリース８の構造で１つのコンポーネントキャリア（ＣＣ）の最大帯域幅を２０ＭＨｚに制限することによって達成される。
【０００５】
リリース１０  ＣＡでは、統合された（aggregated）ＣＣの数と各ＣＣの帯域幅とは、アップリンク（ＵＬ）とダウンリンク（ＤＬ）とが対称または非対称構成を提供するために異なる場合があり得る。典型的には、非対称構成では、ＤＬ  ＣＣの数は、ＵＬ  ＣＣの数よりも多い。ＣＡ対応ＵＥは、初期ランダムアクセスを行うプライマリコンポーネントキャリア（ＰＣＣまたはＰＣｅｌｌ）と呼ばれる、１つのＵＬ／ＤＬ  ＣＣペアで最初に設定される。ＵＥケーパビリティ（能力）およびネットワーク要件に応じて、ネットワークは、セカンダリコンポーネントキャリア（ＳＣＣまたはＳＣｅｌｌ）と呼ばれる、追加のＣＣを設定してもよい。リリース１２までは、ＣＡ対応ＵＥによりサポートされるＳＣｅｌｌの最大数は４であり、ＰＣｅｌｌを含めると合計５つのＣＣが与えられる。
【０００６】
さらに、ＬＴＥでは、ハイブリッドオートマチックリピートリクエスト（ＨＡＲＱ：hybrid automatic repeat request）メカニズムが、アップリンクおよびダウンリンクの両方に採用されている。ＵＥへのスケジューリングされるダウンリンク送信について、ＵＥは、データパケットの受信および復号を試みて、復号が成功したのか（ＡＣＫ）または失敗したのか（ＮＡＣＫ）または検出出来なかったのかを示す応答（acknowledgement）（つまり、肯定：ＡＣＫ、否定：ＮＡＣＫまたはＤＴＸ）をｅＮｏｄｅＢにフィードバックする。ｅＮｏｄｅＢにおいて、以前に（既に）送信されたパケットに対応するＮＡＣＫを受信すると、ｅＮｏｄｅＢは、復号されていない／誤った／検出されていないデータパケットを再送信してもよい。ＵＥにおいて、受信したダウンリンクデータパケットに対する応答の送信は、アップリンク制御情報（ＵＣＩ：uplink control information）／レイヤ１およびレイヤ２（Ｌ１／Ｌ２）制御情報の一部として行われ、それらは物理アップリンク制御チャネル（ＰＵＣＣＨ：Physical Uplink Control Channel）上で送信されるか、または（ＵＬがサブフレームにおいて許可されている場合は）物理アップリンク共有チャネル（ＰＵＳＣＨ：Physical Uplink Shared Channel）上でアップリンクデータ送信に多重化される。リリース１２  ＣＡまでは、ＰＵＣＣＨ送信は、プライマリアップリンクＣＣにおいてのみサポートされている。これは、ＤＬ−ＣＡ（のみ）を可能とするが、ＵＬ−ＣＡを可能としない、特定のＵＥカテゴリが存在することを意味する。すなわち、複数の受信機（ＲＸ）を有するが、単一の送信機（ＴＸ）のみを有するＵＥが存在することを意味する。ＬＴＥリリース１０によれば、最大５つのＤＬ  ＣＣに対するＨＡＲＱ−ＡＣＫ送信は、ＰＵＣＣＨフォーマット３を使用してＰＣｅｌｌ上の１つのＰＵＣＣＨにおいて行われる。
【０００７】
ＬＴＥ  Ｒｅｌ’１０によれば、ＵＥがＣＡを有効にしてＰＵＣＣＨフォーマット３を使用するように設定されている場合、ＵＥは、ＲＲＣシグナリングを介して、４つのＰＵＣＣＨフォーマット３リソースがさらに設定される。ＤＬサブフレームごとに、ｅＮＢは、アップリンク制御情報（ＵＣＩ：uplink control information）を運ぶ（搬送する）関連するＰＵＣＣＨおよび関連する送信電力をマッピングするために、（４つの設定されたＰＵＣＣＨフォーマット３リソースのうち）どのリソースが選択されるべきかをＵＥに動的に通知する。ｅＮＢは、ＰＵＣＣＨ電力制御コマンドを動的に通知するために、ＰＣｅｌｌのＤＣＩにおける送信電力制御（ＴＰＣ：Transmit Power Control）領域の２ビットを使用し、（ＵＥが全てのＳＣｅｌｌのＤＣＩのＴＰＣコマンドが同一であるとみなすと）選択されるＰＵＣＣＨリソースインデックスを動的に通知するために、ＳＣｅｌｌのＤＣＩにおけるＴＰＣ領域の２ビットを使用する。このように、スケジューラは、ＲＲＣを介して複数のＵＥに設定される同一ＰＵＣＣＨリソースを割り当てる一方で、それらＵＥ間のＰＵＣＣＨ衝突を、サブフレームごとに異なるリソースに動的に割り当てることによって回避する柔軟性を有する。
【０００８】
さらに、ＬＴＥでは、（ダウンリンクアサインメント／アップリンクグラント（downlink assignments/uplink grants）の形式において）ＣＣのスケジューリングは、物理ダウンリンク制御チャネル（ＰＤＣＣＨ：Physical Downlink Control Channel）上で送信されるダウンリンク制御情報（ＤＣＩ：downlink control information）を用いて行われる。ＬＴＥリリース８では、ＵＥは、１つのＤＬ  ＣＣおよび１つのＵＬ  ＣＣのみで動作するため、ＤＬアサインメント／ＵＬグラントおよび対応するＤＬ／ＵＬ  ＣＣの間には明確な関連性が存在する。リリース１０におけるＣＡの導入において、複数のＣＣおよびそれらの関連付けを処理するためにスケジューリングの２つのモードが導入された。図２に示すセルフスケジューリングとして知られている第１の動作モードは、リリース８の概念の直接的な拡張であり、ＣＣ上で送信されるＤＣＩに含まれるＤＬアサインメント／ＵＬグラントは、ＤＬ  ＣＣ自体または関連するＵＬ  ＣＣのいずれかに対して有効である。クロスキャリアスケジューリングとして知られている第２の動作モードは、キャリアインジケータ領域（ＣＩＦ：carrier indicator field）を有するＤＬアサインメントが、そのＣＩＦによって指示されるＤＬ  ＣＣに対して有効であり、ＣＩＦを有するＵＬグラントが、そのＣＩＦによって指示されるＵＬ  ＣＣに対して有効であるように、ＣＩＦを有するＤＣＩを補強する。このようにして、図３に示すように、１つのＣＣが他の１つのＣＣのみによりスケジューリングされ、ＰＣＣはクロスキャリアスケジューリングされないという制約の下で、１つのキャリアのＤＣＩを運ぶＰＤＣＣＨは、同一のＤＬキャリア／関連するＵＬキャリアおよび１もしくは複数の他のＤＬキャリア／それらに関連するＵＬキャリアのＰＤＳＣＨ／ＰＵＳＣＨをスケジューリングすることができる。
【０００９】
さらに、Ｒｅｌ’１０  ＬＴＥクロスキャリアスケジューリングにおいて、１つのＣＣが、１もしくは複数の他のＣＣをスケジューリングする場合、スケジューリングされるＣＣの各々は、スケジューリングＣＣの制御領域（ＰＤＣＣＨ）にそれ自体のＵＥ固有サーチスペースを有する。図３に示すように、これらのＵＥ固有サーチスペースは、スケジューリングセルのＰＤＣＣＨ容量に応じて互いに重なり合ってもよい。スケジューリングＣＣの制御領域内の各サーチスペースの位置は、スケジューリングされるＣＣの”servecellindex”と同一のＣＩＦ値の関数として導出される（非特許文献１参照）。
【００１０】
現在、３ＧＰＰは、今後のリリース１３のダウンリンクにおいて、最大３２個のコンポーネントキャリアによるアグリゲーションをサポートするために、拡張キャリアアグリゲーション（ｅＣＡ：enhanced carrier aggregation）の標準化に向けて取り組んでいる。これの１つの識別された要件は、１つのＵＬ  ＣＣのみを有し、３２個のＤＬ  ＣＣを統合するための標準化されたサポートを提供することである。これは、最大３２個のＣＣ（３２ＲＸ）によるＤＬ  ＣＡ能力を有するが、ＵＬ  ＣＡ能力を有しない（１ＴＸ）ＵＥカテゴリのためのものである（非特許文献２参照）。この要件を満たすために、ＵＥは、プライマリＵＬキャリアコンポーネントにおけるＰＵＣＣＨまたはＰＵＳＣＨ上で最大３２個のＣＣのＨＡＲＱ−ＡＣＫを同時に報告することを可能にすべきである。明らかに、リリース１０の標準化されたＰＵＣＣＨフォーマット３の容量は、最大５つのＣＣのＨＡＲＱ−ＡＣＫフィードバックに対してのみ十分であり、したがって、ＵＥごとに複数のＰＵＣＣＨリソースまたはＰＲＢペアに及ぶより大きなペイロードサイズを有する新たなＰＵＣＣＨフォーマットを送信／マッピングするためのメカニズムが必要とされる。さらに、Ｒｅｌ’１０  ＬＴＥにおいて、クロスキャリアスケジューリングは、スケジューリングされるＳＣｅｌｌを識別するためにＤＣＩフォーマットに含まれる３ビットＣＩＦを使用することにより可能となる。技術的に、３ビットＣＩＦは、最大８個のＣＣを示すことが可能であり、これはＲｅｌ’１０  ＣＡの最大５個のＣＣに対しては十分である。しかし、３ビットＣＩＦは、完全な柔軟性（full flexibility）を備えたリリース１３における最大３２個のＣＣのキャリアアグリゲーションに対するクロスキャリアスケジューリングをサポートするためには不十分であり、少なくとも５ビットが必要である。しかしながら、ＣＩＦを５ビットに拡張することは、増加するＤＣＩオーバヘッドおよび仕様の再修正のため好ましくない。
【００１１】
したがって、効率的なＰＵＣＣＨリソース割り当て／衝突処理をサポートする方法、およびＵＥあたり最大３２個のＣＣ上で柔軟なスケジューリングを強化するためのメカニズムが必要であると考えられる。これは、従前のＬＴＥのリリースとの完全な下位互換性を達成しつつ、例えば、上位レイヤシグナリングの強化および動作手順の強化を通して最小のリワークの導入により達成されることが好ましい。
【００１２】
本明細書中の任意の以前のまたは既存の装置、製品、システム、方法、手順、プロトコル、メカニズム、実行、刊行物（本明細書に参照する参考文献および標準リリースを含む）または任意の他の情報、または任意の問題または課題を単に参照することは、個別にまたは任意の組み合わせにかかわらず、これらの事柄のいずれかが、当業者の共通の一般知識の一部を形成するか、またはそれらが先行技術として許容されるという了承または自認を構成するものではない。
【先行技術文献】
【非特許文献】
【００１３】
【非特許文献１】TS 36.213
【非特許文献２】RAN1 chairman's notes, 3GPP TSG RAN WG1 Meeting #80, Athens, Greece, 9th - 13th February 2015
【発明の概要】
【００１４】
本発明の概要と題されたこのセクションは、本発明の導入の概要およびその特徴および態様のうちのいくつかを提供するのみである。本発明（またはその態様または実施形態）の様々な特徴、利点および動作、および様々な実装の詳細のより具体的な説明は、以下の実施形態の説明のセクションにおいて与えられる。
【００１５】
１つの広い形態では、本発明は、アドバンスト無線通信システムにおいて使用するための制御シグナリング方法に関する。無線通信システムは、エボルブドノードＢ（ｅＮＢ：Evolved NodeB）と、少なくとも１つのアドバンストユーザ装置（ＵＥ：user equipment）と、オプションとして少なくとも１つのレガシーユーザ装置（レガシーＵＥ）とを含む。無線通信システムは、単一のアップリンク（ＵＬ）ＣＣのみを有するが、最大３２個のダウンリンク（ＤＬ）コンポーネントキャリア（ＣＣまたはセル）によるキャリアアグリゲーション（ＣＡ）を可能とし、ｅＮＢとＵＥとの間の制御シグナリングは、以下のＣＡモードにおいて動作可能である：全てのＣＣがセルフスケジューリングＣＣとして設定されるように、制御シグナリング方法が、ｅＮＢとＵＥとの間の制御シグナリングを実行することを含むセルフスケジューリングモード；１もしくは複数のＤＬ  ＣＣが、スケジューリングされるＣＣとする残りのＣＣ上でＵＥにおけるＤＬデータ受信のためのスケジューリング情報を提供するスケジューリングＣＣとして設定されるように、制御シグナリング方法がｅＮＢとＵＥとの間の制御シグナリングを実行することを含むクロスキャリアスケジューリングモード；および、ＵＥがＤＬ  ＣＣのグループにおいてクロスキャリアスケジューリングモードで動作し、残りのＤＬ  ＣＣにおいてセルフスケジューリングモードで動作するように設定されるように、制御シグナリング方法がｅＮＢとＵＥとの間の制御シグナリングを実行することを含むハイブリッドＣＡモード。
【００１６】
さらに説明すると、要約として、本発明は、概して、拡張無線キャリアアグリゲーション（ｅＣＡ：enhanced Carrier Aggregation）をサポートする、ｅＮＢと、１もしくは複数のＵＥとにより（を利用して）実装されるアドバンスト無線通信システムおよび方法に関連し、単一の無線アクセスポイント（基地局−ＢＳ：base station）または複数の協調した無線アクセスポイント（ＢＳ）が、アドバンストユーザ装置（ＵＥ）へ最大３２個のＤＬコンポーネントキャリア（ＣＣまたはセル）上のキャリアアグリゲーション方式によるダウンリンク（ＤＬ）データ送信のために同時にスケジューリングされてもよく、設定されるＤＬ  ＣＣに対するＵＥフィードバックは単一のＵＬ  ＣＣ上で送信される。ＤＬ  ＣＣのうち、全てのＣＣは、セルフスケジューリングＣＣとして設定されてもよい（つまり、セルフスケジューリングモード）；または、１もしくは複数のＣＣが、それ自体のＣＣ上の、および残りのスケジューリングされるＣＣ上のＤＬデータ送信のためのスケジューリング情報を提供するスケジューリングＣＣとして設定されてもよい（つまり、クロスキャリアスケジューリングモード）；または、１もしくは複数のＣＣがそれ自体のＣＣ上の、およびいくつかのスケジューリングされるＣＣ上のＤＬデータ送信のためのスケジューリング情報を提供するスケジューリングＣＣとして設定され、残りのＣＣがセルフスケジューリングＣＣとしてさらに設定されてもよい（つまり、ハイブリッドＣＡモード）。
【００１７】
３２個の設定されるＤＬ  ＣＣは、４つのグループにグループ化されてもよく、各グループは３ビット領域により順番に表される最大で８つのサービシングセルインデックスまたはＣＣを含む。２ビット領域は、グループインデックスを表すために使用される。セルフスケジューリングモードでは、ＵＥはセルフスケジューリングＣＣで設定され、ＰＣｅｌｌを含むグループは、プライマリセルフスケジューリンググループとして識別されてもよく、その他はセカンダリセルフスケジューリンググループとして識別されてもよい。クロスキャリアスケジューリングＣＡモードでは、ＵＥはスケジューリングＣＣおよびスケジューリングされるＣＣで設定され、スケジューリングＣＣを含むグループは、クロススケジューリンググループとして識別されてもよく、スケジューリングされるＣＣのみを含む他のグループは、クロススケジューリングされるグループとして識別されてもよい。ハイブリッドＣＡモードでは、クロススケジューリングまたはクロススケジューリングされるグループに、セルフスケジューリングＣＣとして設定される１もしくは複数のＣＣが存在してもよい。
【００１８】
ＣＡ動作の前に、ＲＲＣ接続（ＲＲＣコネクション）を介して、ｅＮＢは、ＵＥにサービングセルインデックスおよびグループインデックス、セルフスケジューリングセルインデックスおよび／またはスケジューリングセルおよび関連するスケジューリングされるセルインデックスを設定してもよい。Ｒｅｌ’１０  ＣＡと同様に、ｅＮＢは、ＵＥに４つのＰＵＣＣＨリソースインデックスのセットをさらに設定してもよい。
【００１９】
セルフスケジューリングＣＡ動作の間、ｅＮＢは、ＵＥにＰＵＣＣＨリソースインデックスオフセットを動的に通知するために、セカンダリセルフスケジューリンググループのＤＣＩのＴＰＣ領域の２つの未使用ビットを利用してもよく、それにより、ｅＮＢに、ＰＵＣＣＨ送信の動的スケジューリングのための１１個のＰＵＣＣＨリソースインデックスのセットをさらに利用する機会を提供する。
【００２０】
クロスキャリアスケジューリングＣＡ動作の間、ｅＮＢは、８よりも大きく３１までのインデックスによりスケジューリングされるセルを識別するために、クロススケジューリングされるグループのＣＣ上のＤＣＩのＴＰＣ領域の２つの未使用ビットを利用してもよい。さらに、クロスキャリアスケジューリングＣＡ動作の間、ｅＮＢは、１よりも多くのスケジューリングセルを有するようにＵＥを設定してもよく、同一のまたは異なる送信電力調整で１よりも多くのＰＵＣＣＨを送信するために（４つの準静的に設定されたセット内の）１よりも多くのＰＵＣＣＨリソースインデックスを選択することをＵＥに動的に通知してもよい。
【００２１】
ハイブリッドＣＡ動作の間、ｅＮＢは、クロススケジューリングおよび／または関連するクロススケジューリングされるグループ内に１もしくは複数のセルフスケジューリングセルを有するようにＵＥを設定してもよい。ｅＮＢは、固有ＰＵＣＣＨリソースインデックスオフセット（specific PUCCH resource index offset）をＵＥに動的に通知するために、セルフスケジューリングセル上のＤＣＩのＴＰＣ領域の２つの未使用ビットをさらに利用してもよく、これにより、ＰＵＣＣＨ送信を動的にスケジューリングするための（クロススケジューリンググループのための選択されるＰＵＣＣＨリソースインデックスを参照して）最大１６個のＰＵＣＣＨリソースインデックスのセットをさらに利用する機会をｅＮＢに与える。さらに、ハイブリッドＣＡ動作の間、１もしくは複数のセルフスケジューリンググループが設定されている場合、ｅＮＢは、固有ＰＵＣＣＨリソースインデックスオフセットに加えて、使用される共通ＰＵＣＣＨリソースインデックスオフセット（common PUCCH resource index offset）をＵＥに動的に通知するために、設定されるセルフスケジューリンググループ内のＤＣＩのＴＰＣ領域の２つの未使用ビットをさらに利用してもよい。
【００２２】
上述した、または本明細書の他の箇所に記載された特徴のいずれかは、本発明の範囲内で本明細書に記載された任意の１もしくは複数の他の特徴と任意の組み合わせで組み合わせることができる。
【図面の簡単な説明】
【００２３】
本発明の好ましい特徴、実施形態、利点および動作、ならびに様々な実装の詳細は、当業者が本発明を実施するのに十分な情報を提供する以下の実施形態のセクションから分かるであろう。実施の形態の説明は、いずれにしても、上記の発明の概要のセクションにおいて概説したように、本発明のスコープを限定するものと見なすべきではない。実施の形態の説明は、以下に示すように複数の図面を参照する。
【００２４】
【図１】図１は、３ＧＰＰ  ＬＴＥリリース１０におけるキャリアアグリゲーションを示す。
【００２５】
【図２】図２は、Ｒｅｌ’１０のセルフスケジューリングキャリアアグリゲーションを示す。
【００２６】
【図３】図３は、Ｒｅｌ’１０のクロスキャリアスケジューリングキャリアアグリゲーションを示す。
【００２７】
【図４Ａ】図４Ａは、最大３２個のＣＣによるＤＬ−ＣＡに対応しＵＬ−ＣＡに対応していない、アドバンスド無線通信システムを示している。
【図４Ｂ】図４Ｂは、最大３２個のＣＣによるＤＬ−ＣＡに対応しＵＬ−ＣＡに対応していない、アドバンスド無線通信システムを示している。
【図４Ｃ】図４Ｃは、最大３２個のＣＣによるＤＬ−ＣＡに対応しＵＬ−ＣＡに対応していない、アドバンスド無線通信システムを示している。
【００２８】
【図５】図５は、インデックスサービシングキャリアコンポーネント（Indexing servicing carrier components）を示す。
【００２９】
【図６】図６は、サービシングキャリアコンポーネントの例示的なグループを示す。
【００３０】
【図７】図７は、ＣＡグループの定義を示す。
【００３１】
【図８Ａ】図８Ａは、セルフスケジューリング、クロスキャリアスケジューリングおよびハイブリッドスケジューリングＣＡ動作のｅＮｏｄｅＢ手順を示す。
【図８Ｂ】図８Ｂは、セルフスケジューリング、クロスキャリアスケジューリングおよびハイブリッドスケジューリングＣＡ動作のｅＮｏｄｅＢ手順を示す。
【図８Ｃ】図８Ｃは、セルフスケジューリング、クロスキャリアスケジューリングおよびハイブリッドスケジューリングＣＡ動作のｅＮｏｄｅＢ手順を示す。
【００３２】
【図９】図９は、セルフスケジューリングＣＡ動作のＵＥ手順を示す。
【００３３】
【図１０】図１０は、セルフスケジューリングＣＡ動作における動的ＰＵＣＣＨリソース割り当ての例を示す。
【００３４】
【図１１】図１１は、クロスキャリアスケジューリングＣＡ動作のＵＥ手順を示す。
【００３５】
【図１２】図１２は、クロスキャリアスケジューリングＣＡ動作における動的ＰＵＣＣＨリソース割り当ての例を示す。
【００３６】
【図１３】図１３は、ハイブリッドスケジューリングＣＡ動作のＵＥ手順を示す。
【００３７】
【図１４】図１４は、ハイブリッドスケジューリングＣＡ動作における動的ＰＵＣＣＨリソース割り当ての例を示す。
【発明を実施するための形態】
【００３８】
上述したように、本明細書に提示される提案は、拡張されたキャリアアグリゲーション（ｅＣＡ）をサポートし、単一の無線アクセスポイント（ＢＳ）がスケジューリングされ得る、または複数の協調される無線アクセスポイント（ＢＳ）が同時にスケジューリングされ得る、アドバンスト無線通信システムに関連し、当該無線通信システムにおいて実装され、いずれの場合も、アドバンスドユーザ装置（ＵＥ）への最大３２個のコンポーネントキャリア（ＣＣまたはセル）上でのキャリアアグリゲーション方式によるダウンリンクデータ送信のために、アドバンストｅＮｏｄｅＢによって、スケジューリングされる。
【００３９】
アドバンスト無線通信システム（７０）は、図４Ａから図４Ｃに示される。図４Ａから図４Ｃにおいて、（本明細書において議論されるように本提案を使用する）通信システムは、１もしくは複数のレガシーＵＥ（つまり、図示しないＲｅｌ’８、Ｒｅｌ’１０  ＵＥ）だけでなく、１もしくは複数のアドバンストＵＥ（７５）（つまり、Ｒｅｌ’１３  ＵＥ）にもサービスを提供している。Ｒｅｌ’１３  ＵＥ（７５）は、ダウンリンクにおいて最大３２個のコンポーネントキャリア（ＣＣ）上でＣＡをサポートする最大３２個の受信機（７６）と、ＵＬ  ＣＡをサポートしない単一の送信機（７７）とを有することができる。通信システムはまた、複数のＣＣ（８１、８２、８３、８４）上のＤＬデータ送信をスケジューリングするために、１もしくは複数の無線アクセスポイント（７１、７２、７３、７４等）を管理する、（図示しない）アドバンストｅＮｏｄｅＢを有し、ＵＥは指定されたＵＬ  ＣＣ（７７）上でＵＬフィードバックまたはデータを送信する。
【００４０】
図４Ａ〜４Ｃは、３つの設定が示されている：
−図４Ａにおける第１のＣＡ設定（７０．ａ）では、ｅＮｏｄｅＢは、全てのＣＣ（つまり、ＰＣｅｌｌを含む最大３２個のＣＣ）がセルフスケジューリングＣＣとしてｅＮＢによって設定される、クロスキャリアスケジューリングモードでは無いモード（つまり、セルフスケジューリングモード）により所定のＵＥ（７５）を動作するように設定する；
−図４Ｂにおける第２のＣＡ設定（７０．ｂ）では、ｅＮｏｄｅＢは、クロスキャリアスケジューリングモードにより動作するように所定のＵＥ（７５）を設定し、スケジューリングされるキャリア（７０．ｂ．４、７０．ｂ．５、７０．ｂ．６）とする残りの設定されるＣＣ（つまり、最大３１個のＣＣ）上のＵＥ（７５）におけるＤＬデータ受信のためのスケジューリング情報を提供する、（最大４つの）１もしくは複数のＤＬ  ＣＣがスケジューリングキャリア（７０．ｂ．１、７０．ｂ．２、７０．ｂ．３）として設定される；
−図４Ｃにおけるいわゆる”ハイブリッド”ＣＡ設定（７０．ｃ）では、ｅＮｏｄｅＢは、適切なＤＬ  ＣＣ（７０．ｃ．１、７０．ｃ．２）のグループにおいてクロスキャリアスケジューリングモードにより動作させるように所定のＵＥ（７５）を設定し、残りのＤＬ  ＣＣをセルフスケジューリングキャリア（７０．ｃ．３、７０．ｃ．４）としてさらに設定する。
【００４１】
図５を参照すると、本提案の一態様（第１の態様）は、”ServCellIndex-r13”と名付けられたＲｅｌ’１３のサービシングセルまたはＣＣ（つまり、ＰＣｅｌｌ／ＰＣＣまたはＳＣｅｌｌ／ＳＣＣ）を識別するための５ビットの無線リソース制御（ＲＲＣ：Radio Resource Control）パラメータの導入と、ｅＮＢおよびＵＥにおいて最大３２個の設定されるＣＣを識別し、処理するための関連するマッピング（１００）とを含む。提案する５ビットのServCellIndex-r13（１０２）は、”ServCellIndex Group-r13”（１０３）と名付けられた４つのＲｅｌ’１３サービシングセルインデックスグループ（Rel'13 servicing-cell-index group）にさらに分割され、”ServCellIndex Group-r13”の各々は、最大８個のＣＣを有し、”ServCellIndex-r10”（１０４）と名付けられたＲｅｌ’１０サービスセルインデックス（Rel'10 service-cell-index）により識別される。５ビット列のうち、２つの最上位ビットまたは２つの最下位ビットのいずれかは、グループインデックス（０、１、２または３）を識別するために使用され、残り３ビットはグループ内のＲｅｌ’１０サービングセルインデックス（つまり、０、１、２、３、４、５、６または７）を識別するために使用される。５ビットServCellIndex-r13を２ビットの”ServCellIndex Group-r13”および３ビットの”ServCellIndex-r10”への提案するマッピングは図６にさらに示される。
【００４２】
図７を参照すると、本提案の他の態様（第２の態様）は、”ServCellIndex Group-r13”の定義（２００）および関連するＵＥ固有サーチスペース（ＵＳＳ：UE specific search space）設定に関連する。
【００４３】
グループの全てのＣＣがセルフスケジューリングＣＣ（２１１）として設定される場合、設定される”ServCellIndex Group-r13”は、”セルフスケジューリング”グループ（２１０）として識別される。セルフスケジューリングＣＣの各々は、データ領域（２１４）においてスケジューリングされるＰＤＳＣＨの受信のためのスケジューリング情報を提供する、その制御領域（２１２）内のＵＥ固有サーチスペース（ＵＳＳ）（２１３）をさらに含む。
【００４４】
グループの最大で１つのＣＣがクロスキャリスケジューリングＣＣ（２３１）として設定される場合、設定される”ServCellIndex Group-r13”は、”クロススケジューリング”グループ（２３０）として識別され、そのグループの自ＤＬ  ＣＣ（２３１）および他のＤＬ  ＣＣ（２４０）においてスケジューリングされるＰＤＳＣＨの受信のためのスケジューリング情報を提供する。クロスキャリアスケジューリングＣＣ（２３１）は、他のグループ（２５０）のＤＬ  ＣＣ（２５５）においてスケジューリングされるＰＤＳＣＨの受信のためのスケジューリング情報を提供するようにさらに設定されてもよい。本提案によれば、クロスキャリアスケジューリングＣＣ（２３１）上の制御領域（２３２）内に、他のグループのＣＣのスケジューリング情報を送信するために設定されるＵＳＳ（２３４）は、自グループのＣＣのスケジューリング情報を送信するために設定されるＵＳＳ（２３３）と重複（オーバラップ）してはならない。”クロススケジューリング”グループ（２３０）において、セルフスケジューリングＣＣ（２４５）として設定することができる１もしくは複数のＣＣが存在してもよい。
【００４５】
”スケジューリングＣＣ”を有さず、そのグループの１もしくは複数のＣＣ（２５５）が他のグループ（２３０）のスケジューリングＣＣ（２３１）によってクロススケジューリングされる場合、設定される”ServCellIndex Group-r13”は、”クロススケジューリングされる”グループ（２５０）として識別される。”クロススケジューリングされる”グループ（２５０）において、セルフスケジューリングＣＣ（２５６）として設定することができる１もしくは複数のＣＣが存在してもよい。
【００４６】
本提案の特に重要な（実装上の）態様（第３の態様）は：
−図８Ａ〜図８Ｃに示すアドバンストｅＮＢにおいて使用するための方法（３００）を含む；
−関連する方法、つまり、図９に示す方法（３３０）、図１１に示す方法（３５０）および図１３に示す方法（３７０）を含み、これらは、ＵＬ  ＣＡを伴わない、最大３２のＤＬ  ＣＣ上のＤＬキャリアアグリゲーションおよび関連するフィードバックを実現するためのアドバンストＵＥにおいて使用される方法である。
【００４７】
図８Ａを参照すると、設定されるＣＡ設定に関わらず、アドバンストｅＮＢにおいて使用される方法（３００）は、第１の態様として上記で議論し、参照したように、ServCellIndexグルーピング（３１０）により常に開始する。
（１）セルフスケジューリングＣＡ設定にのみ適した環境におけるＲｅｌ’１３  ＵＥ
【００４８】
セルフスケジューリングＣＡ設定（つまり、クロススケジューリングではないＣＡ設定）にのみ適した環境におけるＲｅｌ’１３  ＵＥに対して、手順（３２０）は、ｅＮＢにおいて適用され、既存のＲＲＣ接続または新たに確立されるＲＲＣ接続を介して、クロスキャリアスケジューリングではないＣＡ動作をＲｅｌ’１３  ＵＥに設定するために、ｅＮＢはＲＲＣシグナリングを使用する。ＲＲＣシグナリング（３２１）は、（必ずしも限定されないが）以下を含む：
ａ．クロスキャリアスケジューリング：無効（disable）；
ｂ．サービングセルインデックスグループ、セルフスケジューリングセルおよびサービングセルインデックスを設定する；
ｃ．４つの独立したＰＵＣＣＨリソースインデックスのセットを設定する（［０：５４９］の範囲において選択され、セット内の第１のＰＵＣＣＨリソースまたは任意の予め定義されたＰＵＣＣＨリソースがデフォルトＰＵＣＣＨリソースインデックスとして設定される）；
ｄ．設定されるセルフスケジューリングセル上にＵＳＳを設定する。
【００４９】
ＰＣｅｌｌを有するServCellIndex Group-r13（つまり、プライマリグループ）（３２２）では、ＰＣｅｌｌがＲｅｌ’１３  ＵＥにおけるＤＬデータ受信のためにスケジューリングするサブフレームにおいて、ＰＣｅｌｌのスケジューラは、ＵＥフィードバックを運ぶ関連するＰＵＣＣＨ上で使用される電力制御コマンドをＲｅｌ’１３  ＵＥに通知するために、送信されるＤＣＩのＴＰＣ領域の２ビットを使用する（３２３）。さらに、ＳＣｅｌｌがＲｅｌ’１３  ＵＥにおけるＤＬデータ受信のためにスケジューリングするサブフレームにおいて、ＳＣｅｌｌのスケジューラは、ＵＥフィードバックを運ぶ関連するＰＵＣＣＨをマッピングするためのＰＵＣＣＨリソースインデックスをＲｅｌ’１３  ＵＥに通知するために、送信されるＤＣＩのＴＰＣ領域の２つの未使用ビットを使用する（３２４）。Ｒｅｌ’１３  ＵＥは、同一のＴＰＣ値がプライマリグループの全てのスケジューリングされるＳＣｅｌｌ上で送信されるとみなしてもよい。
【００５０】
ＣＡのために設定されるサービシングセル数に応じて、ＵＥフィードバックを運ぶＲｅｌ’１３  ＰＵＣＣＨは、複数のＵＬ  ＰＲＢ（物理リソースブロック：Physical Resource Blocks）に及んでもよい。これは、同一のＰＵＣＣＨリソースインデックスセットを共有する、他のＵＥのＰＵＣＣＨ送信と衝突（または衝突の可能性）を増加し得る。本提案によれば、ＰＵＣＣＨ衝突を処理する際にｅＮＢにおける柔軟性を高めるために、ＰＣｅｌｌを有しない、設定されるServCellIndex Group-r13（つまり、セカンダリグループ）（３２５）では、ＳＣｅｌｌがＲｅｌ’１３  ＵＥにおけるＤＬデータ受信のためにスケジューリングするサブフレームにおいて、ＳＣｅｌｌのスケジューラは、ＵＥフィードバックを運ぶ関連するＰＵＣＣＨ上で使用されるＰＵＣＣＨリソースインデックスオフセットをＲｅｌ’１３  ＵＥに通知するために、送信されるＤＣＩのＴＰＣ領域の２つの未使用ビットを使用する（３２６）。Ｒｅｌ’１３  ＵＥは、同一ＴＰＣ値がセカンダリグループの全てのスケジューリングされるＳＣｅｌｌ上で送信されるとみなしてもよい。Ｒｅｌ’１３  ＵＥはまた、［０：１１］の範囲において最終的なＰＵＣＣＨリソースインデックスオフセットを与えるために、セカンダリグループの各々からのソフト合成または選択合成されたＴＰＣ値を合計することができるとみなしてもよい。
【００５１】
図８Ａを参照して上記で議論した、クロスキャリアスケジューリングではないＣＡ設定（つまり、セルフスケジューリングＣＡ設定）に適用されるｅＮＢの方法（３２０）に対応する、ＵＥの方法（３３０）を図９に示す。ＵＥの方法（３３０）は、サービシングｅＮＢによって設定されたＲＲＣシグナリング（３３１）により開始する。設定されたＲＲＣシグナリングは、（必ずしも限定されないが）以下を含む：
ａ．クロスキャリアスケジューリング：無効（disable）；
ｂ．サービングセルインデックスグループ、セルフスケジューリングセルおよびサービングセルインデックスを設定する；
ｃ．４つの独立したＰＵＣＣＨリソースインデックスのセットを設定する（［０：５４９］の範囲内で選択され、セット内の第１のＰＵＣＣＨリソースまたは任意の予め定義されたＰＵＣＣＨリソースはデフォルトＰＵＣＣＨリソースインデックスである）；
ｄ．設定されるセルフスケジューリングセル上にＵＳＳを設定する。
【００５２】
ＤＬサブフレームごとに、ＵＥは、目的とする（intended）ＤＣＩのためにＰＣｅｌｌ上の設定されたＵＳＳを監視する（３３２）。検出されたＤＣＩにおけるＴＰＣの２ビットは、関連するＵＬサブフレーム上でＵＥフィードバックを運ぶＰＵＣＣＨを送信する際に使用される電力コマンドをＵＥに提供する（３３３）。
【００５３】
同時に、ＵＥはまた、目的とするＤＣＩのためにＰＣｅｌｌを有するグループ（プライマリセルフスケジューリンググループ）のＳＣｅｌｌ（最大７つのＳＣｅｌｌ）上の設定されたＵＳＳを監視する（３３４）。検出されたＤＣＩにおけるＴＰＣのソフト合成または選択合成された２ビットは、関連するＵＬサブフレーム上で使用される動的に設定されるＰＵＣＣＨリソースインデックスをＵＥに提供する（３３５）。
【００５４】
さらに、ＵＥはまた、目的とするＤＣＩのためにＰＣｅｌｌを有しない設定されたグループ（セカンダリセルフスケジューリンググループ）のＳＣｅｌｌ（最大８つのＳＣｅｌｌ）上の設定されたＵＳＳを同時に監視する（３３６）。最大３つのセカンダリセルフスケジューリンググループが存在してもよく、セルフスケジューリンググループの各々において検出されたＤＣＩにおけるＴＰＣのソフト合成または選択合成された２ビット（３３７）は合計することができ（３３８）、関連するＵＬサブフレーム上で使用される動的に設定されるＰＵＣＣＨリソースインデックスオフセットをＵＥに提供する（３３９）。ＣＡにおいて設定されるサービシングセル（ＣＣ）の数に応じて、ＵＥは、ＵＥフィードバックを運ぶＰＵＣＣＨをマッピングするための、１または整数である連続する時間−周波数ＰＵＣＣＨリソースインデックスを使用してもよい。開始ＰＵＣＣＨリソースインデックスは、検出されるＰＵＣＣＨリソースインデックス（３３５）および検出されるＰＵＣＣＨリソースインデックスオフセット（３３９）により識別される。
【００５５】
ＰＵＣＣＨインデックス構成および動的シグナリングの概念を、図１０に示す例によりさらに説明される。ＲＲＣシグナリングを介して、ｅＮＢは、４つのグループ［０、１、２、３］または［００、０１、１０、１１］（４０１、４０２、４０３および４０４）にグループ化される３２個のサービシングセル［０．．．３１］をＲｅｌ’１３  ＵＥに設定する。グループ’００’（４０１）は、ＰＣｅｌｌ（４０５）を有しており、そのため、いわゆるプライマリセルフスケジューリンググループである。ｅＮＢはまた、４つのＰＵＣＣＨリソースインデックス［５、１１、８および２９］のセットをＲｅｌ’１３  ＵＥに設定する（４０６）。特定のＤＬサブフレームにおいて、プライマリセルフスケジューリンググループ’００’（４０１）の検出されたＤＣＩにおけるＴＰＣのソフト合成または選択合成された２ビットは、動的に設定されるＰＵＣＣＨリソースインデックス＝’８’を示す（’１０’＝２）の値（４１０）を与えてもよい。同時に、同一のＤＬサブフレームにおいて、セカンダリセルフスケジューリンググループ’０１’（４０２）、’１０’（４０３）、’１１’（４０４）の検出されたＤＣＩにおけるＴＰＣのソフト合成または選択合成された２ビットは、（’１０’＝２）の値（４１１）、（’００’＝０）の値（４１２）および（’１１’＝３）の値（４１３）をそれぞれ与えてもよく、ＴＰＣ値のそれらの合成された２ビットの合計は、（２＋０＋３＝５）である動的に設定されるＰＵＣＣＨリソースインデックスオフセット（４１４）をＵＥに提供する。８の値である動的に設定されるＰＵＣＣＨリソースインデックス値（４１０）と、５の値である動的に設定されるＰＵＣＣＨリソースインデックスオフセット（４１４）とを使用することにより、ＵＥは、ＵＥフィードバックを運ぶ関連するＰＵＣＣＨをマッピングするための、時間−周波数において連続するＰＵＣＣＨリソースインデックス［３３、３８、４３、４８．．．］（４１５）を選択してもよい。
（２）クロスキャリアスケジューリングＣＡ設定にのみ適した環境におけるＲｅｌ’１３  ＵＥ
【００５６】
クロスキャリアスケジューリングＣＡ設定にのみ適切な環境におけるＲｅｌ’１３  ＵＥに対して、図８Ｂに示す手順（３４０）は、ｅＮＢにおいて適用される。既存のＲＲＣ接続または新たに確立されるＲＲＣ接続を介して、ｅＮＢは、クロスキャリアスケジューリングＣＡ動作を所定のＲｅｌ’１３  ＵＥに設定するために、ＲＲＣシグナリングを使用する。ＲＲＣシグナリング（３４１）は、（必ずしも限定されないが）以下を含む：
ａ．クロスキャリアスケジューリング：有効（enable）；
ｂ．サービングセルインデックスグループ、スケジューリングセルおよび関連するスケジューリングされるセルを設定する；
ｃ．４つの独立したＰＵＣＣＨリソースインデックスのセットを設定する（［０：５４９］の範囲において選択され、セット内の第１のＰＵＣＣＨリソースおよび／または任意の予め定義されたＰＵＣＣＨリソースがデフォルトＰＵＣＣＨリソースインデックスとして設定される）；
ｄ．クロススケジューリンググループ内のＤＬ  ＣＣのためのＵＳＳが他のクロススケジューリングされるグループのＤＬ  ＣＣのためのＵＳＳと重複（オーバラップ）してはならないという制約の下、設定されるスケジューリングセル上にＵＳＳを設定する（いわゆる第２の態様として上述した「クロススケジューリンググループ」および「クロススケジューリングされるグループ」を参照）。
【００５７】
設定されたクロススケジューリンググループ（最大４つのクロススケジューリンググループが存在し得る）およびスケジューリングセルでは、スケジューリングセルがＲｅｌ’１３  ＵＥにおけるスケジューリングセル上のＤＬデータ受信のためにスケジューリングするサブフレームにおいて、スケジューリングセルのスケジューラは、ＵＥフィードバックを運ぶ関連するＰＵＣＣＨ上で使用される電力制御コマンドをＲｅｌ’１３  ＵＥに通知するために、送信されるＤＣＩのＴＰＣ領域の２ビットを使用する（３４３）。さらに、スケジューリングセルがＲｅｌ’１３  ＵＥにおけるスケジューリングされるセル上のＤＬデータ受信のためにスケジューリングするサブフレームにおいて、スケジューリングセルのスケジューラは、ＵＥフィードバックを運ぶ関連するＰＵＣＣＨ上で使用されるＰＵＣＣＨリソースインデックスをＲｅｌ’１３  ＵＥに通知するために、送信されるＤＣＩのＴＰＣ領域の２つの未使用ビットを使用する（３４４）。Ｒｅｌ’１３  ＵＥは、クロススケジューリンググループの全てのスケジューリングされるセルに対して同一のＴＰＣ値が送信されるとみなしてもよい。さらに、クロススケジューリンググループのスケジューリングセルが、他のクロススケジューリングされるグループのスケジューリングされるセル上のＤＬデータ受信のためのスケジューリング情報を提供するように設定されてもよい（最大３つの設定されたクロススケジューリングされるグループが存在してもよく、各スケジューリングされるグループは最大８つの設定されたスケジューリングされるセルを有してもよい）。スケジューリングセルが、Ｒｅｌ’１３  ＵＥにおけるクロススケジューリングされるグループのスケジューリングされるセル上のＤＬデータ受信のためにスケジューリングするサブフレームにおいて、スケジューリングセルのスケジューラは、クロススケジューリングされるグループ番号をＲｅｌ’１３  ＵＥに通知するために、送信されるＤＣＩのＴＰＣ領域の２ビットを使用し、対応するキャリアインジケータ領域（ＣＩＦ：Carrier Indicator Filed）は、識別されるクロススケジューリングされるグループのスケジューリングされるセルを示すために使用される（３４５）。１よりも多いスケジューリンググループ（つまり、２、３または４）が設定される場合、ｅＮＢは、異なる動的ＰＵＣＣＨリソースを設定してもよく、ＰＵＣＣＨの送信のために使用される異なる電力制御コマンドを設定してもよい。
【００５８】
図８Ｂを参照して上記で議論した、クロスキャリアスケジューリングＣＡ設定に適用される、ｅＮＢの方法（３４０）に対応するＵＥの方法（３５０）は図１１に示されている。ＵＥの方法（３５０）は、サービシングｅＮＢによって設定されたＲＲＣシグナリング（３５１）により開始する。設定されたＲＲＣシグナリングは、（必ずしも限定されないが）以下を含む：
ａ．クロスキャリアスケジューリング：有効（enable）；
ｂ．サービングセルインデックスグループ、スケジューリングセルおよび関連するスケジューリングされたセルを設定する；
ｃ．４つの独立したＰＵＣＣＨリソースインデックスのセットを設定する（［０：５４９］の範囲において選択され、セット内の第１のＰＵＣＣＨリソースまたは任意の予め定義されたＰＵＣＣＨリソースはデフォルトＰＵＣＣＨリソースインデックスである）；
ｄ．クロススケジューリンググループのスケジューリングされるセルおよび／またはクロススケジューリングされるグループのスケジューリングされるセルのために、設定されるスケジューリングセル上にＵＳＳを設定する。
【００５９】
ＤＬサブフレームごとに、ＵＥは、目的とするスケジューリングセルＤＣＩのためにスケジューリングセル上の設定されたＵＳＳを監視する（３５２）。スケジューリングセルの検出されたＤＣＩにおけるＴＰＣの２ビットは、関連するＵＬサブフレーム上でフィードバックを運ぶＰＵＣＣＨを送信する際に使用される電力制御コマンド（３５３）をＵＥに提供する。同時に、ＵＥはまた、そのクロススケジューリンググループ内の目的とするスケジューリングされるセルのＤＣＩのためにスケジューリングセル上の設定されたＵＳＳを監視する（３５４）。スケジューリングされるセルの検出されたＤＣＩにおけるＴＰＣのソフト合成、または選択合成された２ビットは、関連するＵＬサブフレームにおけるＰＵＣＣＨをマッピングするための、動的に設定されるＰＵＣＣＨリソースインデックスをＵＥに提供する（３５５）。検出されたＤＣＩにおける３ビットＣＩＦは、上記クロススケジューリンググループのターゲットとするスケジューリングされるセルを示す（３５５．ｂ）。さらに、１もしくは複数のクロススケジューリングされるグループが設定され、スケジューリングされるセルが属する場合、ＵＥは、設定されたクロススケジューリングされるグループ内の目的とするスケジューリングされるセルのＤＣＩのためにスケジューリングセル上の設定されたＵＳＳをさらに監視する（３５６）。検出されたＤＣＩにおいて（３５７）、ＴＰＣの２つの未使用ビットは、クロススケジューリングされるグループインデックスを示し（３５８）、同一ＤＣＩにおける関連する３ビットＣＩＦは、スケジューリングされるセルインデックスを示す（３５９）。
【００６０】
クロスキャリアスケジューリングＣＡ設定におけるＰＵＣＣＨインデックス構成および動的シグナリングの概念は、図１２に示す例（５００）によりさらに示される。ＲＲＣシグナリングを介して、ｅＮＢは、４つのグループ［００、０１、１０、１１］（（５０１）、（５０２）、（５０３）、（５０４））にグループ化される３２個のサービシングセル［０．．．３１］をＲｅｌ’１３  ＵＥに設定する。図１２において、グループ’００’（５０１）およびグループ’１０’（５０３）は、第１および第２のスケジューリングセル（５０５）および（５０６）をそれぞれ有するクロススケジューリンググループとしてさらに設定される。第１のスケジューリングセル（５０５）は、そのスケジューリングセル（５０５）上のＤＬデータ、および、そのクロススケジューリンググループ（５０１）内のスケジューリングされるセル上のＤＬデータの受信のためのスケジューリング情報を提供するＤＣＩを送信するように構成される。第１のスケジューリングセル（５０５）は、クロススケジューリングされるグループ’０１’（５０２）のスケジューリングされるセル上のＤＬデータの受信のためのスケジューリング情報を提供するようにさらに構成される。同様に、第２のスケジューリングセル（５０６）は、そのスケジューリングセル（５０６）上のＤＬデータ、および、そのクロススケジューリンググループ（５０３）内のスケジューリングされるセル上のＤＬデータの受信のためのスケジューリング情報を提供するＤＣＩを送信するように構成される。第２のスケジューリングセル（５０６）は、クロススケジューリングされるグループ’１１’（５０４）のスケジューリングされるセル上のＤＬデータの受信のためのスケジューリング情報を提供するようにさらに構成される。ｅＮＢはまた、４つのＰＵＣＣＨリソースインデックス［５、１１、８および２９］のセット（５０７）をＲｅｌ’１３  ＵＥに設定する。
【００６１】
特定のＤＬサブフレームにおいて、スケジューリングセル（５０５および５０６）上のＤＬデータ受信のための検出されたＤＣＩにおけるＴＰＣの２ビットは、関連するＰＵＣＣＨ上で使用される第１の電力制御（５１０）および第２の電力制御（５１２）を提供する。設定されたクロススケジューリングされるグループ内のスケジューリングされるセル上のＤＬデータ受信のための検出されたＤＣＩにおけるＴＰＣの２ビットは、クロススケジューリングされるグループインデックス（５２０および５２１）を提供する。図１２において、設定されたクロススケジューリンググループ（５０１および５０３）内のスケジューリングされるセルのための検出されたＤＣＩにおけるＴＰＣの（ソフトまたは選択）合成された２ビットは、それぞれ、動的に設定されるＰＵＣＣＨリソースインデックス＝’１１’および’８’を示す’０１’＝１の値（５１１）および’１０’＝２の値（５１３）を与える。１１の値（５１１）および８の値（５１３）である動的に設定されるＰＵＣＣＨリソースインデックス値を使用することにより、ＵＥは、ＵＥフィードバックを運ぶ関連するＰＵＣＣＨをマッピングするための、時間−周波数における連続するＰＵＣＣＨリソースインデックス［１１、１６．．．］（５１４）および［８、１３．．．］（５１５）を選択する。ＰＵＣＣＨリソースインデックス［１１、１６．．．］（５１４）および［８、１３．．．］（５１５）にマッピングされるＰＵＣＣＨは、複数のＰＵＣＣＨマッピングおよび送信を可能にする第１の電力制御コマンドおよび第２の電力制御コマンドに続く異なる送信電力レベルを有するようにさらに構成されてもよい。
（３）ハイブリッドＣＡ設定に適した環境におけるＲｅｌ’１３  ＵＥ
【００６２】
ハイブリッドＣＡ設定（つまり、クロスキャリアスケジューリングおよびセルフスケジューリングの組み合わせ）に適した環境におけるＲｅｌ’１３  ＵＥに対して、図８Ｃに示す手順（３６０）は、ｅＮＢにおいて適用される。既存のＲＲＣ接続または新たに確立されるＲＲＣ接続を介して、ｅＮＢは、ハイブリッドスケジューリングＣＡ動作をＲｅｌ’１３  ＵＥに設定するために、ＲＲＣシグナリングを使用する。ＲＲＣシグナリング（３６１）は、（必ずしも限定されないが）以下を含む：
ａ．ハイブリッドスケジューリング：有効（つまり、クロスキャリアスケジューリング：有効＆セルフスケジューリング：有効）；
ｂ．サービングセルインデックスグループ、スケジューリングセルおよび関連するスケジューリングされるセル、セルフスケジューリングセルを設定する；
ｃ．４つの独立したＰＵＣＣＨリソースインデックスのセットを設定する（［０：５４９］の範囲において選択され、セット内の第１のＰＵＣＣＨリソースおよび／または任意の予め定義されたＰＵＣＣＨリソースはデフォルトＰＵＣＣＨリソースインデックスとして設定される）；
ｄ．クロススケジューリンググループ内のＤＬ  ＣＣのためのＵＳＳが他のクロススケジューリングされるグループ内のＤＬ  ＣＣのためのＵＳＳと重複してはならないという制約の下、設定されるスケジューリングセル上にＵＳＳを設定する（いわゆる第２の態様として上記で議論した”クロススケジューリンググループ”、”クロススケジューリングされるグループ”および”セルフスケジューリンググループ”を参照）；
ｅ．セルフスケジューリングセル上にＵＳＳを設定する。
【００６３】
設定されるクロススケジューリンググループ（最大４つの設定されたクロススケジューリンググループがあり得る）およびスケジューリングセル（３６２）では、スケジューリングセルがＲｅｌ’１３  ＵＥにおけるスケジューリングセル上のＤＬデータ受信のためにスケジューリングするサブフレームにおいて、スケジューリングセルのスケジューラは、ＵＥフィードバックを運ぶ関連するＰＵＣＣＨ上で使用される電力制御コマンドをＲｅｌ’１３  ＵＥに通知するために、送信されるＤＣＩのＴＰＣ領域の２ビットを使用する（３６３）。さらに、スケジューリングセルがＲｅｌ’１３  ＵＥにおけるそのスケジューリンググループ内のスケジューリングされるセル上のＤＬデータ受信のためにスケジューリングするサブフレームにおいて、スケジューリングセルのスケジューラは、ＵＥフィードバックを運ぶ関連するＰＵＣＣＨ上で使用されるＰＵＣＣＨリソースインデックスをＲｅｌ’１３  ＵＥに通知するために、送信されるＤＣＩのＴＰＣ領域の２つの未使用ビットを使用する（３６４）。Ｒｅｌ’１３  ＵＥは、同一のＴＰＣ値がクロススケジューリンググループの全てのスケジューリングされるセルに対して送信されるとみなしてもよい。さらに、クロススケジューリンググループのスケジューリングセルは、設定されたクロススケジューリンググループのスケジューリングされるセル上のＤＬデータの受信のためのスケジューリング情報を提供するように構成されてもよい（最大３つの設定されたクロススケジューリンググループがあってもよく、それぞれ最大８つの設定されたスケジューリングされたセルが存在し得る）。スケジューリングセルがＲｅｌ’１３  ＵＥにおけるクロススケジューリングされるグループのスケジューリングされるセル上のＤＬデータ受信のためにスケジューリングするサブフレームにおいて、スケジューリングセルのスケジューラは、クロススケジューリングされるグループ番号をＲｅｌ’１３  ＵＥに通知するために、送信されるＤＣＩのＴＰＣ領域の２ビットを使用し、対応するＣＩＦは、識別されるクロススケジューリングされるグループのスケジューリングされるセルを識別するために使用される（３６５）。１よりも多いスケジューリンググループ（つまり、２、３または４）が設定される場合、ｅＮＢは、ＰＵＣＣＨの送信のために使用される異なる動的ＰＵＣＣＨリソースおよび異なる電力制御コマンドを設定してもよい。
【００６４】
ハイブリッドスケジューリングＣＡ設定では、クロススケジューリンググループおよび／またはクロススケジューリングされるグループ内に、ｅＮＢは、１もしくは複数のセルをセルフスケジューリングセルとして設定する（３６６）。セルフスケジューリングセルがＲｅｌ’１３  ＵＥにおけるＤＬデータ受信のためにスケジューリングするサブフレームにおいて、セルフスケジューリングセルのスケジューラは、クロススケジューリンググループの送信されるＰＵＣＣＨリソースインデックスに使用される固有ＰＵＣＣＨリソースインデックスオフセットをＲｅｌ’１３  ＵＥに通知するために、送信されるＤＣＩのＴＰＣ領域の２つの未使用ビットを使用してもよい（３６７）。Ｒｅｌ’１３  ＵＥは、同一のＴＰＣ値がクロススケジューリング／クロススケジューリングされるグループの全てのセルフスケジューリングセル上で使用されるとみなしてもよい。Ｒｅｌ’１３  ＵＥは、クロススケジューリンググループの送信されるＰＵＣＣＨリソースインデックスに使用される、［０：１５］の範囲において最終的な固有ＰＵＣＣＨリソースインデックスオフセットを与えるために、クロススケジューリンググループおよび関連するクロススケジューリングされるグループからの（ソフトまたは選択）合成されたＴＰＣ値を合計することが出来るとさらにみなしてもよい。
【００６５】
さらに、ハイブリッドＣＡ設定において、ｅＮＢは、１もしくは複数のグループ（つまり、ServCellIndex Group-r13）をセルフスケジューリンググループ（最大３つの設定されるセルフスケジューリンググループが存在し得る）として設定してもよい（３６８）。セルフスケジューリングセルがＲｅｌ’１３  ＵＥにおけるＤＬデータ受信のためにスケジューリングするサブフレームにおいて、セルフスケジューリングセルのスケジューラは、全ての送信されるＰＵＣＣＨリソースインデックスに使用される共通ＰＵＣＣＨリソースインデックスオフセットをＲｅｌ’１３  ＵＥに通知するために、送信されるＤＣＩのＴＰＣ領域の２つの未使用ビットを使用してもよい（３６９）。Ｒｅｌ’１３  ＵＥは、同一のＴＰＣ値がセルフスケジューリンググループの全てのセルフスケジューリングセル上で使用されるとみなしてもよい。Ｒｅｌ’１３  ＵＥは、検出される固有ＰＵＣＣＨリソースインデックスオフセットに加えて、全ての送信されるＰＵＣＣＨリソースインデックスに使用される、［０：１１］の範囲において最終的な共通ＰＵＣＣＨリソースインデックスを与えるために、全ての設定されたセルフスケジューリンググループからの（ソフトまたは選択）合成されたＴＰＣ値を合計することが出来るとさらにみなしてもよい。
【００６６】
図８Ｃを参照して上記で議論した、ハイブリッドＣＡ設定に適用される、ｅＮＢの方法（３６０）に対応するＵＥの方法（３７０）は図１３に示される。ＵＥの方法（３７０）は、サービシングｅＮＢによって設定されたＲＲＣシグナリング（３７１）により開始する。設定されたＲＲＣシグナリングは、（必ずしも限定されないが）以下を含む：
ａ．ハイブリッドスケジューリング：有効（つまり、クロスキャリアスケジューリング：有効＆セルフスケジューリング：有効）；
ｂ．サービングセルインデックスグループ、スケジューリングセルおよび関連するスケジューリングされるセル、およびセルフスケジューリングセルを設定する；
ｃ．４つの独立したＰＵＣＣＨリソースインデックスのセットを設定する（［０：５４９］の範囲において選択され、セット内の第１のＰＵＣＣＨリソースおよび／または任意の予め定義されたＰＵＣＣＨリソースはデフォルトＰＵＣＣＨリソースインデックスとして設定される）；
ｄ．クロススケジューリンググループ内のＤＬ  ＣＣのためのＵＳＳが他のクロススケジューリングされるグループのＤＬ  ＣＣのためのＵＳＳと重複してはならないという制約の下、設定されるスケジューリングセル上にＵＳＳを設定する；
ｅ．設定されるセルフスケジューリングセル上にＵＳＳを設定する。
【００６７】
ＤＬサブフレームごとに、ＵＥは、目的とするスケジューリングセルＤＣＩのためにスケジューリングセル上の設定されたＵＳＳを監視する（３７２）。スケジューリングセルのための検出されたＤＣＩのＴＰＣの２ビットは、関連するＵＬサブフレーム上でフィードバックを運ぶＰＵＣＣＨを送信する際に使用される電力制御コマンドをＵＥに提供する（３７３）。同時に、ＵＥはまた、そのクロススケジューリンググループ内の目的とするスケジューリングされるセルのＤＣＩのためにスケジューリングセル上の設定されたＵＳＳを監視する（３７４）。スケジューリングされるセルのための検出されたＤＣＩにおけるＴＰＣのソフト合成または選択合成された２ビットは、関連するＵＬサブフレーム上にＰＵＣＣＨをマッピングするための動的に設定されるＰＵＣＣＨリソースインデックスをＵＥに提供する（３７５）。検出されたＤＣＩの３ビットＣＩＦは、上記クロススケジューリンググループのターゲットとなるスケジューリングされるセルを示す（３７６）。さらに、スケジューリングされるセルに属する１もしくは複数のクロススケジューリングされるグループで設定される場合、ＵＥは、設定されたクロススケジューリングされるグループ内の目的とするスケジューリングされるセルのＤＣＩのためにスケジューリングセル上の設定されたＵＳＳをさらに監視する（３７７）。検出されたＤＣＩにおいて（３７８）、ＴＰＣの２つの未使用ビットは、クロススケジューリングされるグループインデックスを示し（３７９）、同一ＤＣＩにおける関連する３ビットＣＩＦは、グループ内のスケジューリングされるセルインデックスを示す（３８０）。
【００６８】
ハイブリッドスケジューリングＣＡ設定では、Ｒｅｌ’１３  ＵＥは、１もしくは複数のセルフスケジューリングセルで設定される。任意のセルフスケジューリングセルは、クロススケジューリンググループおよび／または関連するクロススケジューリングされるグループ、またはセルフスケジューリンググループに設定されてもよい。クロススケジューリングおよび／または関連するクロススケジューリングされるグループの設定されたセルフスケジューリングセルにおいて、ＵＥは、目的とするＤＣＩのために設定されたＵＳＳをさらに監視する（３８１）。（３７５）において検出された関連するＰＵＣＣＨリソースインデックスに使用される最終的な固有ＰＵＣＣＨリソースインデックスオフセット（３８２）をＵＥに提供するために、クロススケジューリンググループおよび関連するクロススケジューリングされるグループの検出されたＤＣＩにおけるＴＰＣのソフト合成または選択合成された２ビットは、合計することが出来る。セルフスケジューリンググループの設定されたセルフスケジューリングセルにおいて、ＵＥは目的とするＤＣＩのために設定されたＵＳＳをさらに監視する（３８３）。セルフスケジューリンググループの検出されたＤＣＩにおけるＴＰＣのソフト合成または選択合成された２ビットは（３８４）、他の設定されたセルフスケジューリンググループのものと合計することが出来（３８５）、検出される固有ＰＵＣＣＨリソースインデックスオフセット（３８２）に加えて、全ての検出されるＰＵＣＣＨリソースインデックスに使用される最終的な共通ＰＵＣＣＨリソースインデックスオフセット（３８６）をＵＥに提供する。
【００６９】
ハイブリッドスケジューリングＣＡ設定におけるＰＵＣＣＨインデックス構成および動的シグナリングの概念は、図１４に示す例（６００）によってさらに示される。ＲＲＣシグナリングを介して、ｅＮＢは、４つのグループ［００、０１、１０、１１］（（６０１）、（６０２）、（６０３）、（６０４））にグループ化された３２個のサービシングセル［０．．．３１］をＲｅｌ’１３  ＵＥに設定する。図１４において、グループ’００’（６０１）およびグループ’１０’（６０３）は、それぞれ第１および第２のスケジューリングセル（６０５）および（６０６）を有するクロススケジューリンググループとしてさらに設定される。第１のスケジューリングセル（６０５）は、そのスケジューリングセル（６０５）上のＤＬデータ、および、そのクロススケジューリンググループ（６０１）内のスケジューリングされるセル上のＤＬデータの受信のためのスケジューリング情報を提供するＤＣＩを送信するように構成される。第１のスケジューリングセル（６０５）は、クロススケジューリングされるグループ’０１’（６０２）のいくつかのスケジューリングされるセル（６０７）上のＤＬデータの受信のためのスケジューリング情報を提供するようにさらに構成される。クロススケジューリングされるグループ’０１’（６０２）の他のセルは、セルフスケジューリングセル（６０８）として設定される。
【００７０】
同様に、第２のスケジューリングセル（６０６）は、そのスケジューリングセル（６０６）上のＤＬデータ、および、そのクロススケジューリンググループ（６０３）内のいくつかのスケジューリングされるセル（６０９）上のＤＬデータの受信のためのスケジューリング情報を提供するＤＣＩを送信するように構成される。第２のクロススケジューリンググループ（６０３）内で、いくつかのセルは、セルフスケジューリングセル（６１０）として設定される。ｅＮＢはまた、４つのＰＵＣＣＨリソースインデックス［５、１１、２９および８］のセット（６１１）をＲｅｌ’１３  ＵＥに設定する。
【００７１】
特定のＤＬサブフレームにおいて、スケジューリングセル（６０５および６０６）上のＤＬデータ受信を目的とする検出されたＤＣＩにおけるＴＰＣの２ビットは、関連するＰＵＣＣＨ上で使用される第１の電力制御（６２０）および第２の電力制御（６２１）を提供する。設定されたクロススケジューリングされるグループ内のスケジューリングされるセル上のＤＬデータ受信を目的とする検出されたＤＣＩにおけるＴＰＣの２ビットは、クロススケジューリングされるグループインデックスを提供する（６２２）。図１４では、設定されたクロススケジューリンググループ（６０１および６０３）内のスケジューリングされるセルのための検出されたＤＣＩにおけるＴＰＣの（ソフトまたは選択）合成された２ビットは、それぞれ、’８’および’５’である動的に設定される第１および第２のＰＵＣＣＨリソースインデックスを示す’１１’＝３の値（６２３）および’００’＝０の値（６２４）を与える。同時に、同一のＤＬサブフレームにおいて、クロススケジューリングされるグループ’０１’（６０２）内のセルフスケジューリングセル上の検出されたＤＣＩのＴＰＣの（ソフトまたは選択）合成された２ビット（６０８）は、’８’である第１のＰＵＣＣＨリソース（６２３）と共に使用され、第１の固有ＰＵＣＣＨリソースインデックスオフセットをＵＥに提供する、’１１’＝３の値（６２５）を与え、２３である第１の基準ＰＵＣＣＨリソースインデックスを与える（６２７）。さらに、クロススケジューリンググループ’１０’（６０３）内のセルフスケジューリングセル上の検出されたＤＣＩ上のＴＰＣの（ソフトまたは選択）合成された２ビット（６１０）は、’５’である第２のＰＵＣＣＨリソースインデックス（６２４）と共に使用され、第２の固有ＰＵＣＣＨリソースインデックスオフセットをＵＥに提供する、’００’＝０の値（６２６）を与え、５である第２の基準ＰＵＣＣＨリソースインデックスを与える（６２８）。
【００７２】
同時に、同一のＤＬサブフレームにおいて、セルフスケジューリンググループ’１１’（６０４）の検出されたＤＣＩにおけるＴＰＣの（ソフトまたは選択）合成された２ビットは、’１１’＝３の値を与えてもよく、これは、全ての検出されたＰＵＣＣＨリソースインデックス（つまり、第１および第２の基準ＰＵＣＣＨリソースインデックス）と共に使用される、３である共通に設定されるＰＵＣＣＨリソースインデックスオフセット（６２９）をＵＥに提供する。２３の値（６２７）、および５の値（６２８）である固有の設定されるＰＵＣＣＨリソースインデックス、および３である共通の設定されるＰＵＣＣＨリソースインデックスオフセット（６２９）を使用することにより、ＵＥは、ＵＥフィードバックを運ぶ関連するＰＵＣＣＨをマッピングするための、時間−周波数において連続するＰＵＣＣＨリソースインデックス［３８、４３．．．］（６３０）および［２０、２５．．．］（６３１）を選択してもよい。ＰＵＣＣＨリソースインデックス［３８、４３．．．］（６３０）および［２０、２５．．．］（６３１）上にマッピングされるＰＵＣＣＨは、複数のＰＵＣＣＨマッピングおよび送信を可能にする第１の電力制御コマンドおよび第２の電力制御コマンドに続く異なる送信電力レベルを有するようにさらに構成されてもよい。
【００７３】
本提案のいくつかの重要な特徴および利点は、上述した議論および説明から明らかになるであろう。これらの特徴および利点のいくつかは、以下の点に要約されるが、これらの点は単に要約であり、本提案の重要な特徴および特性または利点を網羅することを意図したものではないことを明確に理解する必要がある。
−セルフスケジューリングキャリアアグリゲーションでは、ＰＵＣＣＨリソースインデックスオフセットの導入およびオフセット値の動的シグナリングのための未使用ＴＰＣ領域の利用は、既存の物理レイヤチャネル設計の変更または修正を伴わずにｅＮＢにおけるサブフレームごとのＰＵＣＣＨリソース割り当ての柔軟性を向上させる。
−クロスキャリスケジューリングキャリアアグリゲーションでは、３２個のＣＣをサポートするための５ビットサービシングセルインデックスを３ビットＲｅｌ’１０  ＣＩＦ、サービシングセルインデックスグルーピングへのマッピングの導入、およびグループインデックスおよびクロスキャリアスケジューリングを示すための未使用ＴＰＣ領域の利用は、物理レイヤシグナリングの修正を伴わずに最大３２個のセルまたはＣＣ（つまり、１つのスケジューリングセルおよび３１個のスケジューリングされるセル）に対して実現することが可能となる。
−追加のＣＡ設定の導入およびｅＮＢとＵＥとにおいて実装される手順は、ＵＥに設定されるクロスキャリアスケジューリングおよびセルフスケジューリングの共存を可能とし、さらにＰＵＣＣＨリソースインデックスオフセットの導入および固有オフセット値および共通オフセット値の動的シグナリングのための未使用ＴＰＣ領域のスマートな利用は、既存の物理レイヤチャネル設計の変更または修正を伴わずにｅＮＢにおけるサブフレームごとのＰＵＣＣＨリソース割り当ての柔軟性をさらに向上させる。
−したがって、本提案は：
−物理レイヤアーキテクチャおよび物理レイヤ設計に影響を与えることなく、Ｒｅｌ’１０  ＣＡとの下位互換性を実現することが可能となる；
−物理レイヤ設計およびアーキテクチャに影響を与えることなく、５ＣＣから３２ＣＣへのクロスキャリアスケジューリングを拡張することによって、スケーラブルな手法により、ｅＮＢおよびＲｅｌ’１３  ＵＥにおける使用のためのＲＲＣシグナリングおよび手順を強化することが可能となる；
−サブフレームごとに固有ＰＵＣＣＨリソースインデックスオフセットおよび共通ＰＵＣＣＨリソースインデックスオフセットを導入し、未使用ＤＣＩ領域を利用して動的なシグナリングのための方法を提供することにより、ｅＮＢにＰＵＣＣＨリソース割り当てに特別な柔軟性（extra flexibility）を提供することが可能となる；
−セルフスケジューリングがクロスキャリア動作を相互にサポートするように構成することができ、ＣＣごとに、Ｒｅｌ’１３  ＵＥにおけるクロスキャリアスケジューリングＣＡ動作およびセルフスケジューリングＣＡ動作の共存を可能にする方法を提供することが可能となる。
【００７４】
本明細書および特許請求の範囲において（もしあれば）、「含む」という用語およびその派生語は、記載された整数のそれぞれを含み、１もしくは複数の整数の包含を排除するものではない。
【００７５】
本明細書を通して、「一実施形態」または「実施形態」は、実施形態に関連して説明した特定の特徴、構造、または特性が、本発明の少なくとも１つの実施形態に含まれることを意味する。したがって、本明細書の様々な箇所における「一実施形態では（において）」または「実施形態では（において）」という表現の出現は、必ずしもすべて同じ実施形態に言及しているわけではない。さらに、特定の特徴、構造、または特性は、１もしくは複数の組み合わせにより任意の適切な方法で組み合わされてもよい。
【００７６】
法令の順守において、本発明は、構造的又は方法的特徴の多少を言語で具体的に記載されている。本発明は、本明細書に記載された手段が本発明を実施する好ましい形態を含むからと言って、図示または説明した特定の特徴に限定されないことを理解されたい。したがって、本発明は、（もしあれば）当業者により適切に解釈される添付の特許請求の適切な範囲内で任意の形態又は変形が主張される。
【００７７】
本出願は、２０１５年５月２８日に出願されたオーストラリア特許仮出願第２０１５９０１９８５号に基づき、優先権の利益を主張し、その開示内容は全体を参照して本明細書に取り込まれる。
【符号の説明】
【００７８】
７０  無線通信システム
７１、７２、７３、７４  無線アクセスポイント
７５  ＵＥ
【図１】
0006443566.tif 000003
【図２】
0006443566.tif 000004
【図３】
0006443566.tif 000005
【図４Ａ】
0006443566.tif 000006
【図４Ｂ】
0006443566.tif 000007
【図４Ｃ】
0006443566.tif 000008
【図５】
0006443566.tif 000009
【図６】
0006443566.tif 000010
【図７】
0006443566.tif 000011
【図８Ａ】
0006443566.tif 000012
【図８Ｂ】
0006443566.tif 000013
【図８Ｃ】
0006443566.tif 000014
【図９】
0006443566.tif 000015
【図１０】
0006443566.tif 000016
【図１１】
0006443566.tif 000017
【図１２】
0006443566.tif 000018
【図１３】
0006443566.tif 000019
【図１４】
0006443566.tif 000020